(57)【要約】【課題】繋ぎ部の光電変換素子サイズ（受光面積）を小さくすることにより、等間隔で原稿を画素毎に読み取るＣＩＳにおいて、受光面積が小さい素子（端部画素）で読み取る原稿領域は、光束を集光して照射するキャップ型ＬＥＤで照射することにより、受光面積が小さい分の感度を光量で補正することにより、繋ぎ部を含めて全画素においてほぼ一様レベルのＣＩＳ出力レベルを得る。【解決手段】・繋ぎ部光電変換素子サイズが小さいＣＩＳ・光束を集光して原稿を照明するキャップ型ＬＥＤ・繋ぎ部画素で読み取る領域はキャップ型ＬＥＤで照明【選択図】        図１
2004172836.tif 000002
【特許請求の範囲】
【請求項１】
複数の画像読み取り素子列を直列に配列し、原稿を電気信号で読み取る光電変換手段において、前記光電変換手段を構成する個々の光電変換素子列が隣接する繋ぎ部の光電変換素子の受光面積が、光電変換素子列を構成する他の光電素子の受光面積に対して小さい光電変換手段と、光束を拡散して照射する第１のＬＥＤと、光束を集光して照射する第２のＬＥＤと、前記複数の第１のＬＥＤと前記複数の第２のＬＥＤとで構成される原稿を照明する原稿照明手段とを有する画像読み取り装置において、
前記第２のＬＥＤは、前記光電変換手段における光電変換素子列の繋ぎ部を構成する受光面積の小さい光電変換素子において読み取る原稿領域を照明することを特徴とする画像読み取り装置。
【発明の詳細な説明】
【０００１】
【発明の属する技術分野】
本発明は、画像読み取り装置に関する。
【０００２】
【従来の技術】
近年、カラー原稿を色分解して電気的に読み取り、得られたカラー画像データを用紙上にプリント出力してカラー画像の複写を行なう、所謂デジタルカラー複写機の発展には、めざましいものがある。このようなデジタルカラー複写システムの普及に伴い、カラー画像の印字品質に対する要求も高くなってきている。
【０００３】
一方、コスト削減や光源消費電力削減の要求から、ＣＣＤとレンズの組み合わせによる、縮小光学系を用いたイメージスキャナに加えて、ＬＥＤやキセノンランプ等を光源とし、セルフォックレンズ等の等倍結像光学系と、ＣＣＤまたはＣＭＯＳラインセンサとを用いた所謂コンタクトイメージセンサ（以下ＣＩＳと表記する）を使用するケースが増えてきている。
【０００４】
例えば、カラー複写機にて２５ｉｐｍ（画像／分）程度の読み取り速度で読み取る場合に、ＣＣＤを用いた縮小光学系では、約３万ｌｘ程度の原稿面照度が必要であるのに対し、コンタクトイメージセンサを使用すれば、同じ読み取り速度で読み取る場合に、その１／１０程度の約３０００ｌｘ程度の原稿面照度で、同程度のＳ／Ｎで読み取りが可能であるとの検討結果が得られている。６００ｄｐｉを等倍で読み取るカラーＣＩＳとしては、例えば図１０のようなものが提案されている。図１０は、このようなカラーＣＩＳのセンサ画素配列の一例を示したものであり、６００ｄｐｉに相当する１画素４２ミクロンが、副走査方向に三分割され、１／３画素ピッチでＲＧＢの読取ラインが３ライン平行して形成されている。
【０００５】
一般に縮小光学系用のカラーＣＣＤは、ＲＧＢの主走査方向に平行に形成された読み取り開口部列を持ち、それぞれの開口部列に対応して、電荷転送読み出し用のアナログシフトレジスタを２本づつ、計６本備えている。縮小光学系の場合は、このようなカラーＣＣＤを１個のみ使用している。
【０００６】
カラーＣＩＳの場合、このようなカラーＣＣＤチップを例えば１６個主走査方向の直線上に並べている。
【０００７】
図６はカラーラインセンサ２０２４を巨視的に見た図である。ＣＩＳを構成する基盤２０２４−５上には、２０２４−１０１，２０２４−１０２，・・・，２０２４−１１６に示すようにＣＣＤ１６チップが直線状に並んでいる。ＣＣＤ読み取り素子の１チップにＲＧＢがそれぞれ４６８画素ずつ設けられており、１６チップ並べると４６８×１６＝７４８８画素が主走査方向に並ぶことになる。
【０００８】
図７はカラーラインセンサ２０２４のＣＣＤ読み取り素子のチップ間を拡大したものである。図中２０２４−１０１−４６８はＣＣＤチップ２０２４−１０１の４６８番目の画素を示し、２０２４−１０２−１はＣＣＤチップ２０２４−１０２の１番目の画素を示している。図７に示すように、ＣＣＤチップのつなぎ目となる部分の画素サイズは、画素間距離を一定に保つためにその他のチップよりも小さくなっている。
【０００９】
また、最近では、白色光を出力できる白色ＬＥＤの開発が進み、画像読み取り装置の光源としての活用が期待されている。図１１は白色ＬＥＤの構成を示す透視図である。図１１中、８０は白色ＬＥＤであり、アノード電極８１、カソード電極８２、ワイヤボンディング８３及び８４、ＬＥＤペレット８５、蛍光体８６、キャップ８７より構成されている。白色ＬＥＤ８０の発光原理について説明する。アノード電極８１とカソード電極８２間に所定の電圧を印加すると、ワイヤボンディング８３，８４を介してＬＥＤペレット８５が発光する。ＬＥＤペレット８５はＧａＮ（窒化ガリウム）系のペレットであり、青色ＬＥＤに一般的に用いられている化学物質で構成されている。ＬＥＤペレット８５から発光する青色光は、蛍光体８６を介してキャップ８７外に光放出すると同時に、蛍光体８６に混入しているＹＡＧ（イットリウム・アルミニウム・ガーネット）系蛍光剤を照射し、ＹＡＧ系蛍光剤は、黄色の蛍光を発し、青色光と同時にキャップ８７外に光放出される。従って、ＹＡＧ系蛍光剤の濃度を調整することにより、青色と黄色の混色光がバランスよくキャップ８７外に光放出されて、白色ＬＥＤが実現される。
【００１０】
また、最近では、キャップ８７にレンズ機能８８を設けることにより、一点集光が可能な白色ＬＥＤを作成することも可能となっている。
【００１１】
図１２は白色ＬＥＤ１２１，１２２，１２３で原稿を照射し、その反射光をカラーラインセンサ２０２４で光電変換したときの出力信号レベル（ここではＲ信号のみを代表して示す）を示したものである。図中１２−１は縦軸がラインセンサ２０２４のＲ画素の信号出力レベルを表し、横軸がＲ画素２０２４−１０１−４６７，…，２０２４−１０２−３を表す。図に見られるように、ＣＣＤチップ２０２４−１０１と２０２４−１０２の繋ぎ部にある画素２０２４−１０１−４６８，２０２４−１０２−１は受光面積が小さいために信号出力レベルが他の画素に比較して小さくなっている。
【００１２】
【発明が解決しようとする課題】
しかしながら、上記したセンサでは、図７に示すようにＣＩＳを構成する複数のＣＣＤチップのつなぎ部分の画素サイズがその他の画素サイズと比較して小さいため、つなぎ目の画素だけＣＩＳの感度が低く、ＣＩＳの出力信号レベルが他の画素に比較して小さくなってしまう。画像読取装置では通常公知であるシェーディング補正手段を搭載しているが、つなぎ部分の画素面積が他の画素と比較して著しく小さい場合にはシェーディング補正手段で補正しきれない、また仮にシェーディング補正が可能となっても、隣接画素と比較してシェーディング補正の乗数が著しく異なるために他の画素の画質、例えばＳＮレベルが著しく劣化してしまい、複写画像に筋となって表れてしまうという欠点があった。
【００１３】
【課題を解決するための手段】
本願発明は、上記欠点を解消するために、原稿を照射する複数のＬＥＤ光源のうち、ＣＣＤチップつなぎ部で読み取る原稿エリアを照射するＬＥＤには一点集光を可能とするレンズキャップを設け、感度が他のチップより劣るＣＣＤチップのつなぎ画素の感度劣化分を補う光量で原稿を照射することにより、消費電力の少ない画像読取装置で均一な画質で原稿画像を読み取ることを可能とするものである。
【００１４】
【発明の実施の形態】
以下、添付図面を参照して、本発明に係る好適な実施の形態を詳細に説明する。
【００１５】
図１は、本発明の実施の形態に係る画像形成装置の構成を示す断面図である。同図において、２０１はイメージスキャナ部であり、ここでは、原稿を読み取り、デジタル信号処理を行なう。また、２００はプリンタ部であり、イメージスキャナ部２０１にて読み取られた原稿画像に対応した画像を、用紙上にフルカラーでプリント出力する。
【００１６】
まず、イメージスキャナ部２０１に内蔵されるＣＩＳモジュール２０２について説明する。図２は、ＣＩＳモジュール２０２の断面図、図３は、その分解斜視図である。
【００１７】
図２及び図３に示すように、ＣＩＳモジュール２０２は、カバーガラス２０２１、ＬＥＤ及び導光体からなる照明光源２０２２、セルフォックレンズ等からなる等倍結像レンズ２０２３、カラーラインセンサ２０２４、前記カラーラインセンサ２０２４が実装された基板２０２５、それらがモールド２０２６に取り付けられることによって一体のＣＩＳモジュール２０２を形成している。
【００１８】
図４は、ＣＩＳモジュール２０２に内蔵されたカラーラインセンサ２０２４の微視的部分を拡大した図であり、ひとつひとつの矩形が読み取り画素であるフォトダイオードを表している。カラーラインセンサ２０２４は、６００ｄｐｉの等倍読取用であるため、１画素の開口部の大きさは４２×４２μｍである。
【００１９】
ここで、カラーラインセンサ２０２４の各フォトダイオード上には、ＲＧＢ三原色のカラーフィルタが形成されている。２０２４−１は、可視光の中で赤色の波長成分を透過するＲフィルタが形成されたフォトダイオードを１ラインに配置した受光素子列（フォトセンサ）である。
【００２０】
また、２０２４−２，２０２４−３は、緑色光，青色光の波長成分を透過するＧフィルタ、Ｂフィルタが形成されたフォトダイオードをそれぞれ１ラインに配置した受光素子列である。そしてＲＧＢ３ラインの読取ラインを形成し、蓄積時間にフォトダイオードに入射する光量に対応した電荷を発生する。
【００２１】
２０２４−４は、各フォトダイオード２０２４−１，２０２４−２，２０２４−３において蓄積された電荷を転送するための電荷転送部としてのＣＣＤアナログシフトレジスタ、２０２４−５は、電荷信号を電圧に変換し、電圧出力信号として出力するための出力アンプ部である。
【００２２】
上記３ラインの異なる光学特性を持つ受光素子列２０２４−１，２０２４−２，２０２４−３は、Ｒ，Ｇ，Ｂの各センサが原稿の同一ラインを読み取るべく、互いに平行に配置される。また、ＣＣＤアナログシフトレジスタ２０２４−４は、３ラインの受光素子列の外側にＢの受光素子列２０２４−３に隣接して平行に配置される。各受光素子列２０２４−１，２０２４−２，２０２４−３及びＣＣＤシフトレジスタ２０２４−４は、同一のシリコンチップ上においてモノリシック構造をとる。
【００２３】
各ラインにおける主走査方向の画素ピッチは、１画素の開口部の主走査方向の大きさと等しい４２μｍになるように各フォトダイオードが配置される。また、各ラインの間隔も、１画素の開口部の副走査方向の大きさと等しい４２μｍになるように各フォトダイオードが配置される。
【００２４】
図５は、カラーＣＩＳからの画像信号の読み出しタイミングを説明する図である。
【００２５】
１ライン期間（例えば３５０ｕｓ）、フォトダイオード２０２４−１，２０２４−２，２０２４−３の各々において蓄積された１ライン分のＲＧＢ各色の電荷は、次ラインの先頭のタイミングで、シフトパルスφＳＨに応じて電荷転送部であるＣＣＤアナログシフトレジスタ２０２４−４に一括して転送される。
【００２６】
電荷転送部２０２４−４に出力された電荷は、電荷転送クロックφＭに応じて順次出力アンプ部２０２４−５に転送される。そして、出力アンプ部２０２４−５において電圧に変換され、電圧出力信号として出力される。
【００２７】
まず、ダミー信号ｄ１，ｄ２，・・・，ｄ６が読み出される。次に有効信号が、緑，青，赤の繰り返しで、Ｇ１，Ｂ１，Ｒ１，Ｇ２，Ｂ２，Ｒ２，・・・，Ｇ４６８，Ｂ４６８，Ｒ４６８のように各色４６８画素分読み出される。
【００２８】
本実施形態では、３ラインの受光素子列に対し共通に設けられた１ラインのＣＣＤアナログシフトレジスタで３色分の電荷を転送する構成にしているため、このような読み出しタイミングとなっている。
【００２９】
図６は、カラーラインセンサ２０２４を巨視的に見た図である。
【００３０】
基板２０２４−６上に、１６個のセンサチップがライン上に実装されている。そして、各センサチップから信号が出力されるため、それぞれのチップに対応して同時に１６ｃｈの信号が読み出される。読み出された１６ｃｈの信号は、アナログ信号処理部１０１にて、ゲインオフセット調整されたあと内蔵されるＡ／Ｄコンバータにてデジタル信号に変換される。このように各センサチップからの出力を１ｃｈにしたため、従来に比べて複数のセンサチップを配列しても読み出し出力のチャンネルを削減でき、出力された画像信号を処理するための配線やアナログプロセッサ部の回路規模を簡略化することが可能になる。
【００３１】
図７は、１６個のセンサチップのつなぎ目部分を拡大した図である。図７では電荷転送部２０２４−４は省略してある。本実施形態においては、センサチップのつなぎ目において、隣接するセンサチップの最端に位置する画素同士の画素ピッチが、定常部（同一センサチップ内の画素ピッチ）と同じになるよう、センサチップのつなぎ目の画素サイズが通常の画素サイズよりも小さくなっている。
【００３２】
図１３は、白色ＬＥＤ１２１，１３１，１２３で原稿を照射し、その反射光をカラーラインセンサ２０２４で光電変換したときの出力信号レベル（ここではＲ信号のみを代表して示す）を示したものである。図中１３−１は縦軸がラインセンサ２０２４のＲ画素の信号出力レベルを表し、横軸がＲ画素２０２４−１０１−４６７，…，２０２４−１０２−３を表す。白色ＬＥＤ１３１のキャップ部にはレンズが組み込まれており、他の白色ＬＥＤ１２１，１２３が拡散光により原稿全体を照射するのとは異なり、ＣＣＤチップ２０２４−１０１と２０２４−１０２の繋ぎ部にある画素２０２４−１０１−４６８，２０２４−１０２−１が原稿の反射光を読み取るエリアに集光した光を照射するものである。このレンズ付白色ＬＥＤ１３１を用いることにより、１３−１に見られるように、受光面積が小さいＣＣＤチップ２０２４−１０１と２０２４−１０２の繋ぎ部にある画素２０２４−１０１−４６８，２０２４−１０２−１の信号出力レベルも他の画素と比較して同等レベルの出力が得られるようになる。
【００３３】
次に、装置全体の動作を説明する。図１のイメージスキャナ部２０１において、原稿台ガラス（プラテン）２０５上に載置され原稿圧板２０３により押えられた原稿２０４を、図２に示すＣＩＳモジュール２０２に内蔵される照明光源２０２２の光で照射する。この照明光源２０２２は通常の白色ＬＥＤとレンズ付白色ＬＥＤの組み合わせで構成され、通常の白色ＬＥＤは原稿全体を拡散光で照明し、レンズ付白色ＬＥＤはカラーラインセンサ２０２４を構成する複数のＣＣＤチップの繋ぎ部に集光した光を照射するように構成されており、原稿２０４からの反射光は、図２のレンズ２０２３によりカラーラインセンサ２０２４上に結像される。
【００３４】
カラーラインセンサ２０２４は、原稿からの光情報をレッド（Ｒ），グリーン（Ｇ），ブルー（Ｂ）の各色成分に分解してフルカラーで読み取り、ＲＧＢの色信号を信号処理部２０７に出力する。
【００３５】
カラーラインセンサ２０２４の各色成分の読取センサ列は、各々が７５００画素から構成されており、原稿台ガラス２０５上に載置される原稿の中で最大サイズであるＡ３サイズの原稿の短手方向２９７ｍｍを６００ｄｐｉの解像度で読み取ることができる。
【００３６】
ＣＩＳモジュール２０２は、読取センサ列の電気的な走査方向（主走査方向）に対して垂直な方向（副走査方向）に速度Ｖで機械的に移動することにより、原稿２０４の全面を走査する。
【００３７】
図８は、この副走査動作を行なう構成を説明する図で、本実施形態の画像読取装置を上から見た図である。
【００３８】
カラーＣＩＳ２０２は、樹脂でできたキャリッジ４１０に格納されている。カラ−ＣＩＳ２０２の両端には、スライド部材４１９，４２０が取り付けられており、キャリッジ４１０に内蔵された不図示のバネ部材で、プラテンガラスに対してスライド部材を押し当てるように構成されている。
【００３９】
キャリッジ４１０は、リニアガイド４１８により副走査方向のみに移動するように動きが規制されている。タイミングベルト４１１は、キャリッジ４１０の下部に接続されており、タイミングベルト４１１が動けばキャリッジ４１０も連動して動くように構成されている。
【００４０】
ステッピングモータ４１３は、制御手段であるＣＰＵ１３１（図１）の制御に基づいて、タイミングベルト４１１，４１２及びプーリ４１４，４１５，４１６，４１７を介してその動力をキャリッジ４１０に伝達することで、キャリッジ４１０を副走査方向に移動させる。
【００４１】
図１に戻り、標準自色板２０６は、可視光でほぼ均一の反射特性を有する白色であり、カラーラインセンサによる２０２４によるＲ，Ｇ，Ｂ読み取リデータのシェーディングを補正するための部材である。この標準白色板２０６を読み取ったデータに基づいてＲ，Ｇ，Ｂセンサ２０２４−１〜２０２４−３から出力される原稿読み取りデータに対しシェーディング補正を行なう。
【００４２】
また、画像信号処理部２０７では、読み取られた信号を電気的に処理し、マゼンタ（Ｍ），シアン（Ｃ），イエロー（Ｙ），ブラック（Ｂｋ）の各成分に分解してプリンタ部２００に送る。そしてイメージスキャナ部２０１における１回の原稿走査（スキャン）につき、Ｍ，Ｃ，Ｙ，Ｂｋの内、１つの成分がプリンタ部２００に送られ、計４回の原稿走査により１枚分の画像データがプリントアウトされる。
【００４３】
プリンタ部２００では、イメージスキャナ部２０１からのＭ，Ｃ，Ｙ，Ｂｋの各画像信号がレーザドライバ２１２に送られる。レーザドライバ２１２は、画信号に応じて半導体レーザ２１３を変調駆動する。そして、半導体レーザ２１３から照射されたレーザ光は、ポリゴンミラー２１４、ｆ−θレンズ２１５、ミラー２１６を介して、感光ドラム２１７上を走査する。
【００４４】
現像器は、マゼンタ現像器２１９、シアン現像器２２０、イエロー現像器２２１、ブラック現像器２２２により構成され、これら４つの現像器が交互に感光ドラム２１７に接して、感光ドラム２１７上に形成されたＭ，Ｃ，Ｙ，Ｂｋの静電潜像を対応するトナーで現像する。
【００４５】
また、転写ドラム２２３は、用紙カセット２２４、または用紙カセット２２５より給紙された用紙を転写ドラム２２３に巻き付け、感光ドラム２１７上に現像されたトナー像を用紙に転写する。
【００４６】
このようにして、Ｍ，Ｃ，Ｙ，Ｂｋの４色についてのトナー像が順次、転写された後、用紙は、定着ユニット２２６を通過して排紙される。
【００４７】
次に、画像信号処理部２０７について説明する。
【００４８】
図９は、本実施例に係るイメージスキャナ部２０１の画像信号処理部２０７における画像信号の流れを示すブロック図である。
【００４９】
画像信号処理部２０７は、ＣＰＵからなる制御手段１３１の制御によりレジスタやメモリを用いた各種処理が行なわれる。
【００５０】
クロック発生部１２１は、１画素単位のクロックを発生し、主走査アドレスカウンタ１２２では、クロック発生部１２１からのクロックを計数し、１ラインの画素アドレス出力を生成する。そして、デコーダ１２３は、主走査アドレスカウンタ１２２からの主走査アドレスをデコードして、シフトパルスやリセットパルス等のライン単位センサ駆動信号や、カラーイメージセンサからの１ライン読み取り信号中の有効領域を表わすＶＥ信号、ライン同期信号ＨＳＹＮＣを生成する。なお、主走査アドレスカウンタ１２２は、ＨＳＹＮＣ信号でクリアされ、次ラインの主走査アドレスの計数を開始する。
【００５１】
ＣＩＳモジュール２０２から出力される画像信号ＯＳ１〜ＯＳ１６は、アナログ信号処理部１０１に入力される。アナログ信号処理部１０１では、ＯＳ１〜ＯＳ６をｃｈ１に、ＯＳ７〜ＯＳ１２をｃｈ２に、ＯＳ１３〜ＯＳ１６をｃｈ３に割り当てるようにアナログマルチプレクスし、ゲイン調整，オフセット調整を行なった後、８ｂｉｔのデジタル画像信号に変換して出力する。
【００５２】
アナログ信号処理部１０１から出力される８ｂｉｔのデジタル画像信号は、並び替え部１０２においてＲＧＢ各色成分の信号に分離され、シェーディング補正部１０３において各色信号に対して標準白色板２１１の読み取り信号を用いた公知のシェーディング補正が施される。
【００５３】
シェーディング補正された色信号は、ライン間補正部１０４において、副走査方向の空間的ずれを補正する。
【００５４】
本実施形態で使用したＣＩＳモジュール２０２は、図４に示すように、カラーイメージセンサ２０２４の受光部２０２４−１，２０２４−２，２０２４−３は、相互に所定の距離（１画素開口部の副走査方向の大きさと等しい４２μｍ）を隔てて、３ライン平行に配置されている。このようにＲＧＢのラインが、それぞれ副走査方向に１画素相当分ずれているため、同時刻に副走査方向における別の位置を読むことになり、画像データとして同じ位置になるように補正する必要がある。そのため、公知の所謂３ライン補正の技術で補正を行なう。
【００５５】
この３ライン補正は、既存のカラー３ラインのＣＣＤを使用するとき、必須の技術として使用されている。通常は、先に読み取っているラインの画像信号（ここではＢ信号）をメモリに蓄積し、遅れて読み取っているラインの画像信号（ここではＲ，Ｇ信号）と合わせる手法がとられる。このようにＢ信号に対してＲ，Ｇの各色信号を副走査方向にライン遅延させてＢ信号に合わせることで空間的ずれを補正する。
【００５６】
ここで、本実施形態で使用したカラーＣＩＳは、ＲＧＢ３ラインそれぞれの読取ラインの間隔が、１画素の副走査方向の大きさの整数倍である１画素ピッチであるため、補正処理を簡略化することが可能である。なお、１画素の副走査方向の大きさの整数倍であれば、２倍や３倍（２画素分或いは３画素分）の間隔を空けて各ラインを配置してもよい。
【００５７】
ライン間補正部１０４の出力は、入カマスキング部１０６に入力される。入カマスキング部１０６では、ＣＩＳモジュール２０２で読み取ったＲＧＢの信号読み取り色空間を、ＮＴＳＣの標準色空間に変換するために、次式のようなマトリックス演算を行なう。
【外１】
2004172836.tif 000003
【００５８】
入力マスキング部１０６から出力される輝度信号Ｒ４，Ｇ４，Ｂ４は、ルックアップテーブルＲＯＭにより構成された光量／濃度変換部（ＬＯＧ変換部）１０７により、Ｃ０，Ｍ０，Ｙ０の濃度信号に変換される。
【００５９】
ライン遅延メモリ１０８では、後述する黒文字判定部１１３で、Ｒ４，Ｇ４，Ｂ４信号から生成されるＵＣＲ，ＦＩＬＴＥＲ，ＳＥＮ等の判定信号までのライン遅延分だけ、Ｃ０，Ｍ０，Ｙ０の画像信号を遅延させる。その結果、同一画素に対するＣ１，Ｍ１，Ｙ１の画像信号と黒文字判定信号は、マスキングＵＣＲ回路１０９に同時に入力される。
【００６０】
マスキングＵＣＲ回路１０９は、入力されたＹ１，Ｍ１，Ｃ１の３原色信号から黒信号（Ｂｋ）を抽出し、さらに、プリンタ２１２での記録色材の色濁りを補正する演算を施して、Ｙ２，Ｍ２，Ｃ２，Ｂｋ２の信号を各読み取り動作の度に順次、所定のビット幅（８ｂｉｔ）で出力する。
【００６１】
主走査変倍回路１１０は、公知の補間演算により画像信号及び黒文字判定信号の主走査方向の拡大縮小処理を行なう。
【００６２】
空間フィルタ処理部（出力フィルタ）１１１は、ＬＵＴｌ１７からの２ｂｉｔのＦＩＬＴＥＲ信号に基づいて、エッジ強調，スムージング処理の切り替えを行ない、プリンタ２１２に出力する。
【００６３】
黒文字判定部１１３について説明する。基本動作は、読み込んだ画像について参照している領域が文字／線画領域であるか、網点画像領域であるかを判別し、文字線画領域であると判定した場合は、ＵＣＲ１０９で黒の量を増やし、黒を際立たせ、出力フィルタ１１１で輪郭強調をかけ、プリンタ２１２で、出力する印字線数を細かなものに切り替えることで、文字／線画をくっきり美しく印字する。一方、網点領域と判定した場合、フィルタ１１１で網点をぼかすようにフィルタリングし、プリンタ２１２では、出力印字線数を階調再現性の優れたものに切り替える。
【００６４】
黒文字判定部１１３については、本出願人による特開平７−２０３１９８に詳しく開示されているため詳細な説明はそちらに譲る。概略は、文字の太さ判定部１１４で、画像中の文字／線画部分の太さを判定し、また、エッジ検出部１１５で文字／線画の輪郭情報を、彩度判定部１１６で彩度情報を得る。これら、文字の太さ判定部１１４からの４ｂｉｔの判定信号、エッジ検出部１１５からの３ｂｉｔの判定信号、彩度判定部１１６からの２ｂｉｔの判定信号を、ルックアップテーブルＬＵＴ１１７に入力する。ＬＵＴは、９ｂｉｔの入力信号に応じて、マスキング、ＵＣＲ部１０９を制御する３ｂｉｔ信号を、出力フィルタ１１１を制御する２ｂｉｔ信号を、プリンタ２１２を制御する１ｂｉｔ信号を出力する。
【００６５】
以上により、文字の太さ判定部１１４、エッジ検出部１１５、彩度判定部１１６の判定結果に応じて、マスキングＵＣＲ部１０９、出力フィルタ部１１１、プリンタ２１２が適切に制御されることにより、黒文字すなわち文字／線画領域であるか、網点画像領域であるかに応じて、適切な、画像処理を行なうことができ、美しい印字結果が得られる。
【００６６】
【発明の効果】
以上説明したように、本発明のよれば、原稿を照射する複数のＬＥＤ光源のうち、ＣＣＤチップつなぎ部で読み取る原稿エリアを照射するＬＥＤには一点集光を可能とするレンズキャップを設け、感度が他のチップより劣るＣＣＤチップのつなぎ画素の感度劣化分を補う光量で原稿を照射することにより、消費電力の少ない画像読取装置で均一な画質で原稿画像を読み取ることが可能となる。
【図面の簡単な説明】
【図１】本発明実施の形態に係る画像形成装置の断面図である。
【図２】ＣＩＳの断面図である。
【図３】ＣＩＳの構造を示す斜視図である。
【図４】本発明実施の形態に係るカラーＣＩＳの画素構造を拡大した図である。
【図５】本発明実施の形態に係るＣＣＤからの画像信号読み出しタイミングを説明する図である。
【図６】カラーＣＩＳを巨視的にみた図である。
【図７】本発明実施の形態に係るＣＣＤチップ間のつなぎ目を説明する図である。
【図８】副走査動作を説明する図である。
【図９】本発明実施の形態に係る画像処理ブロック図である。
【図１０】１画素を副走査方向にＲＧＢで三分割したカラーＣＩＳを説明する図である。
【図１１】白色ＬＥＤの構成を説明する図である。
【図１２】従来のＬＥＤ照明系とＣＩＳの出力レベルを説明する図である。
【図１３】本発明実施の形態に係るＬＥＤ照明系とＣＩＳの出力レベルを説明する図である。
【符号の説明】
２０２４  カラーラインセンサ
２０２４−１  Ｒフィルタが形成された受光素子列
２０２４−２  Ｇフィルタが形成された受光素子列
２０２４−３  Ｂフィルタが形成された受光素子列
２０２４−４  ＣＣＤアナログシフトレジスタ
２０２４−５  出力アンプ部
【図１】
2004172836.tif 000004
【図２】
2004172836.tif 000005
【図３】
2004172836.tif 000006
【図４】
2004172836.tif 000007
【図５】
2004172836.tif 000008
【図６】
2004172836.tif 000009
【図７】
2004172836.tif 000010
【図８】
2004172836.tif 000011
【図９】
2004172836.tif 000012
【図１０】
2004172836.tif 000013
【図１１】
2004172836.tif 000014
【図１２】
2004172836.tif 000015
【図１３】
2004172836.tif 000016